(57)【要約】【課題】通信機器との通信が可能な蒸気レス炊飯器を得ることを目的とする。【解決手段】下部筐体の内部の内釜から炊飯動作中に発生する蒸気を復水する蒸気処理タンクと、下部筐体の上方に開閉自在に設けられた蓋体と、蒸気を内釜から蒸気処理タンクに導く蒸気導管と、蓋体の上部に設けられ、通信機器を近接させて無線通信を行う通信部と、を備える。蒸気導管と通信部とは、蓋体の内部に水平方向に並列に並べられて配置されている。【選択図】図１
2018033808.tif 000002
【特許請求の範囲】
【請求項１】
下部筐体の内部の内釜から炊飯動作中に発生する蒸気を復水する蒸気処理タンクと、
前記下部筐体の上方に開閉自在に設けられた蓋体と、
前記蒸気を前記内釜から前記蒸気処理タンクに導く蒸気導管と、
通信機器を近接させて無線通信を行う通信部と、を備え、
前記蒸気導管と前記通信部とは、
前記蓋体の内部に水平方向に並列に並べられて配置されている、炊飯器。
【請求項２】
前記蓋体は、
操作部を構成する電気部品をさらに備え、
前記電気部品は、
前記蒸気導管と水平方向に並列に並べられて配置されている、請求項１に記載の炊飯器。
【請求項３】
前記蓋体は、
前記下部筐体を向いた面に前記内釜の開口部を閉塞する内蓋が取り付けられる蓋体基部と、
該蓋体基部の上面を覆って取り付けられる蓋筐体と、
該蓋筐体の上面を覆い当該蓋体の上面の外観を構成する化粧板と、を備え、
前記蓋体基部は、
前記下部筐体を向いた面に開口している蒸気導管収納部を有し、
前記蒸気導管は、
蒸気導管収納部の内部に取り付けられ、
前記蓋筐体は、
上側を向いて開口している基板収納室を備え、
前記無線通信を行う通信基板及び前記電気部品は、
前記基板収納室の内部に収納され、
前記化粧板は、
前記基板収納室を上側から閉塞する、請求項２に記載の炊飯器。
【請求項４】
前記蓋体は、
上面の一部に凹部が形成され、該凹部の底部の下方に前記通信部を備える、請求項１〜３の何れか１項に記載の炊飯器。
【請求項５】
前記蓋体は、
前記下部筐体の背面側に設置されたヒンジを中心に回動して開閉し、
前記凹部の底面は、
前面側から背面側に向けて高くなる傾斜を有する、請求項４に記載の炊飯器。
【請求項６】
炊飯及び保温の動作中において前記通信機器との前記無線通信を実行する制御部を備える、請求項１〜５の何れか１項に記載の炊飯器。
【発明の詳細な説明】
【技術分野】
【０００１】
本発明は、無線通信が可能な蒸気レス炊飯器の蓋体の構造に関する。
【背景技術】
【０００２】
従来、携帯通信機器等で通信する炊飯器が知られている。この種の炊飯器では、無線通信により通信機器から情報を受け、例えば炊飯メニューの選択が行われる。これにより、炊飯器で釦を押すなどの操作により炊飯メニューを選択する動作が不要となり、ユーザーの操作の煩わしさを改善させることができる。
【０００３】
特許文献１に開示されている技術に係る炊飯器は、蓋体に無線通信をする通信部を備えている。通信機器からの情報を無線通信部が受信し、その情報に基づき炊飯メニューなどを選択する。その通信の際に、通信機器を炊飯器に近づけて通信を行う。無線通信を行う通信基板は、炊飯器の内部に設置されている。
【先行技術文献】
【特許文献】
【０００４】
【特許文献１】国際公開第２０１３／１３６７３８号
【発明の概要】
【発明が解決しようとする課題】
【０００５】
しかし、特許文献１に開示されている技術においては、炊飯器にＮＦＣ（Ｎｅａｒ  Ｆｉｅｌｄ  Ｃｏｍｍｕｎｉｃａｔｉｏｎ）通信といった近接場形の通信規格により通信を行うようにさせる場合は、通信機器と通信基板と距離を近接させるように、通信基板を炊飯器の外観の近傍に配置しなければならない。
【０００６】
また、炊飯器においては、炊飯器の操作を行う操作パネルが設けられ、その近傍には表示部が設けられている。さらには、蒸気レス炊飯器においては、炊飯器の上部に蒸気を処理するための機構が内蔵されている。具体的には、内釜から発生した蒸気を復水器まで導くための蒸気導管が炊飯器の上部に内蔵されている。これにより、炊飯器の上部の内部構造は、狭くなっている。また、通信機器と炊飯器との間でＮＦＣ通信などの無線通信をするときは、ユーザーの操作性を向上させる観点から、操作パネル及び表示部の近傍かつ通信機器と操作パネル及び表示部とが重ならない位置に通信部を配置することが望ましい。しかし、炊飯器内部に蒸気導管などの構造が配置されている場合、さらに蒸気導管を避けて配置する必要がある。また、通信部及び操作部等を構成する電子部品は、蒸気及び熱の影響を受けないように蒸気導管から離して配置する必要があるため、炊飯器の大型化をするか又は内部スペースを削減しなければならないという課題があった。
【０００７】
本発明は、上記のような課題を解決するためになされたものであり、蒸気レス炊飯器においてＮＦＣ通信を可能にし、かつ、大型化又は内部スペースを削減することなく、無線通信するにあたり操作性の良い炊飯器を提供することを目的としている。
【課題を解決するための手段】
【０００８】
本発明に係る炊飯器は、下部筐体の内部の内釜から炊飯動作中に発生する蒸気を復水する蒸気処理タンクと、前記下部筐体の上方に開閉自在に設けられた蓋体と、前記蒸気を前記内釜から前記蒸気処理タンクに導く蒸気導管と、通信機器を近接させて無線通信を行う通信部と、を備え、前記蒸気導管と前記通信部とは、前記蓋体の内部に水平方向に並列に並べられて配置されているものである。
【発明の効果】
【０００９】
本発明に係る炊飯器によれば、操作部と蒸気導管と無線通信を行う通信部を蓋体の内部に並列に配置することができるため、蒸気レス炊飯器においても近接する通信機器と通信部との通信を可能にすることができ、炊飯器の大型化及び内部スペースも削減することのない蒸気レス炊飯器を提供することができる。
【図面の簡単な説明】
【００１０】
【図１】本発明の実施の形態１に係る炊飯器を示す斜視図である。
【図２】図１の炊飯器の構造を説明する説明図である。
【図３】図１の炊飯器の蓋体の化粧板を取り外した状態の図である。
【図４】図３の炊飯器の蓋筐体を取り外した状態の図である。
【図５】図４の炊飯器の蓋体基部を取り外した状態の図である。
【図６】図１の炊飯器の蓋体を開けた状態の斜視図である。
【図７】実施の形態１に係る炊飯器の変形例としての炊飯器の斜視図である。
【図８】実施の形態２に係る炊飯器の斜視図である。
【図９】図８の炊飯器の上面図である。
【図１０】図８の炊飯器と通信機器２とが通信している状態を示す斜視図である。
【発明を実施するための形態】
【００１１】
以下に、本発明に係る炊飯器の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１２】
実施の形態１．
図１は、本発明の実施の形態１に係る炊飯器１００を示す斜視図である。図２は、図１の炊飯器１００の構造を説明する説明図である。炊飯器１００の本体１０は、蓋体２０と下部筐体３０とから構成される。下部筐体３０は、内部に内釜３２が配置され、内釜３２を熱するヒーター３３等が設けられている。
【００１３】
蓋体２０は、下部筐体３０の上部を覆う蓋であり、下部筐体３０の上方に設けられる。蓋体２０は、下部筐体３０とヒンジ２２により接続され、ヒンジ２２を中心に開閉自在に取り付けられている。蓋体２０は、上面を構成する化粧板２１と蓋筐体２７とにより構成されており、化粧板２１が蓋体２０の外観を構成している。化粧板２１は、蓋筐体２７の上面を覆って組み立てられており、蓋筐体２７の裏面側から固定されている。また、化粧板２１には複数の釦が配置される操作部４０が設けられている。操作部４０を構成する複数の釦は、表示部４１の周りに配置されている。
【００１４】
下部筐体３０には開閉釦３１が設けられている。開閉釦３１は、炊飯器１００の前面に設けられており、開閉釦３１の反対側、すなわち炊飯器１００の背面側に蓋体２０と下部筐体３０とを接続するヒンジ２２が設けられている。開閉釦３１を押すと、蓋体２０が開き、炊飯器１００の下部筐体３０の上部の開口が露出する。なお、炊飯器１００において開閉釦３１が設置されている側を炊飯器１００の前側、ヒンジ２２が設けられている側を背面側とし、前側から見て左を炊飯器１００の左側、前側から見て右を炊飯器１００の右側と呼ぶ。
【００１５】
蓋体２０の上面には、さらに通信部６０が配置されている。通信部６０は、スマートフォンなどの通信機器２と無線通信が可能である。無線通信は、例えば、ＮＦＣ（Ｎｅａｒ  Ｆｉｅｌｄ  Ｃｏｍｍｕｎｉｃａｔｉｏｎ）通信といった近接場形の通信規格により通信を行う。
【００１６】
通信部６０は、操作部４０及び表示部４１に対し右の奥側に配置されている。図１は、蓋体２０の上面に配置された通信部６０の上に通信機器２が置かれ、近距離無線通信を行っている状態が示されている。通信部６０は、通信機器２との無線通信を行う際に、操作部４０を構成する複数の釦及び炊飯器１００の状態等の表示が行われている表示部４１が通信機器２により隠されることの無い位置に配置されることが望ましい。
【００１７】
図１において、通信部６０は、操作部４０を構成する基板及び表示部４１を構成する基板が配置される基板収納室４２の内部に配置されている。通信部６０は、基板収納室４２内で操作部４０を構成する基板又は表示部４１を構成する基板と接続されている。通信部６０は、通信機器２から無線通信により信号を受け、その信号をその他の基板に設けられている制御部に送り、制御部は、その信号に従い炊飯器１００を制御する。なお、制御部は、炊飯時及び保温時においても通信機器２と通信部６０との通信が可能なようにプログラムされている。
【００１８】
基板収納室４２は上側を向いて開口し、化粧板２１により上側から閉塞される。基板収納室４２は蓋体２０のその他の領域に対し独立した空間になっており、下部筐体３０の内部にある内釜３２で発生する蒸気が侵入しないようになっている。また、基板収納室４２は、蓋体２０内部に設けられている蒸気導管収納部４３からも独立して設けられている。
【００１９】
図３は、図１の炊飯器１００の蓋体２０の化粧板２１を取り外した状態の図である。蓋体２０から化粧板２１を取り外すと、蓋筐体２７の内部構造が露出する。蓋筐体２７には、本体前面側の上面に凹みが形成され、その凹みに操作部４０を構成する操作基板４０ａ及び表示部４１を構成する表示ユニット４１ａが配置され基板収納室４２となっている。基板収納室４２は、蓋筐体２７の表側に形成されているため、蓋筐体２７の裏側、すなわち下部筐体３０側の空間とは隔絶されている。そのため、下部筐体３０の内部で発生した蒸気等が基板収納室４２に侵入しない。なお、操作部４０を構成する操作基板４０ａ、及び表示ユニット４１ａは、本願発明の電気部品に相当する。電気部品は、操作基板４０ａ及び表示ユニット４１ａのみに限られず、その他の電気部品であっても良い。
【００２０】
基板収納室４２には、表示ユニット４１ａが収納され、表示ユニット４１ａの下には操作基板４０ａが配置されている。通信部６０を構成する通信基板６０ａは基板収納室４２の内部に収納され、操作基板４０ａに重なる様にして、表示部４１の右上部に配置されている。通信基板６０ａの真上の化粧板２１の外観部が通信部６０となっている。通信部６０は、特に通信基板６０ａのアンテナに合わせて設けられている。通信基板６０ａは、ビス等により固定されている。
【００２１】
図４は、図３の炊飯器１００の蓋筐体２７を取り外した状態の図である。図４においては、図３で示されていた蓋筐体２７の裏側、すなわち下部筐体３０側に位置する部品について示されている。蓋筐体２７の下、つまり下部筐体３０側には蓋体基部２８がある。蓋筐体２７は蓋体基部２８の上面を覆って取り付けられる。蓋体基部２８は、ヒンジ２２により下部筐体３０と回動可能に連結されている。つまり、蓋体基部２８の上に蓋筐体２７及び化粧板２１が取り付けられ、蓋体基部２８がヒンジ２２周りに回動すると、蓋体基部２８上に取り付けられた蓋筐体２７及び化粧板２１も共に回動することになる。ヒンジ２２周りには、蓋体基部２８を上方向に付勢する付勢機構２６が設けられている。付勢機構２６は、例えば、ねじりコイルバネにより形成され、その腕の一端が蓋体基部２８の引っ掛け部２９に引っ掛けられている。
【００２２】
蓋体基部２８の正面から向かって左側には、基板収納室４２を避けて蒸気導管収納部４３が形成されている。蒸気導管収納部４３は、上側に突出しており、蓋体基部２８の下部筐体３０側に開口している。蒸気導管収納部４３には、蒸気導管４３ａが収納されているが、蒸気導管４３ａの上側は、蒸気導管収納部４３に覆われているため、蒸気導管４３ａから蒸気が漏出しても蓋体基部２８の上側には侵入しないように構成されている。
【００２３】
図５は、図４の炊飯器１００の蓋体基部２８を取り外した状態の図である。図６は、図１の炊飯器１００の蓋体２０を開けた状態の斜視図である。蓋体基部２８には、蒸気導管４３ａが取り付けられており、蒸気導管４３ａの下方から内蓋５０が取り付けられている。内蓋５０は、内釜３２の開口部を閉塞する。蒸気導管４３ａは、内蓋５０に開けられた開口に連結され、炊飯時の内釜３２の内部で発生した蒸気が通るように構成されている。また、蒸気導管４３ａは、内蓋５０の上面から下部筐体３０の前面側に伸び、下部筐体３０の前面側に配置されている蒸気処理タンク３４の上面に開けられている開口と連結している。蒸気導管４３ａ内を通った蒸気は、蒸気処理タンク３４内に導かれ、蒸気処理タンク３４内に貯留されている水の中を通し復水される。なお、図６に示されている様に、蒸気導管４３ａ及び内蓋５０は、蓋体基部２８に着脱自在に取り付けられており、蓋体２０が下部筐体３０の上方に開けられたときには、蓋体２０と共に移動するものである。
【００２４】
以上のように、炊飯器１００の蓋体２０は、蓋体２０の上面の外観を構成する化粧板２１と、上面側に基板収納室４２となる凹みを備える蓋筐体２７と、蓋体２０の下部筐体３０側の面を構成し、蒸気導管収納部４３を備え、蒸気導管４３ａ及び内蓋５０が取り付けられる蓋体基部２８とが炊飯器１００の上下方向に重なって組み合わされて構成される。そして、内釜３２内で発生する蒸気に触れる蒸気導管４３ａ及び内蓋５０は、蓋体基部２８の下側の面、つまり下部筐体３０側の面に取り付けられ、蒸気に触れるのを避けたい基板及び通信基板６０ａは、蓋筐体２７の上側の面に取り付けられる。このように構成されることにより、基板及び通信基板６０ａを、使い勝手の良い本体上面側に配置することができ、かつ蒸気などの弊害を受けることがないため信頼性が高い。
【００２５】
また、実施の形態１に係る炊飯器１００は、通信基板６０ａを操作部４０及び表示部４１と同じ基板収納室４２に設けている。通信基板６０ａは、通信機器２と近接して通信をするため、化粧板２１の表面近くに配置する必要がある。そのため、図２に示されるように、通信基板６０ａは、基板４４の上側に重ねて配置されている。このように構成されることにより、通信基板６０ａと基板４４とを同じ基板収納室４２内で接続することができるため、基板収納室４２は、外部と連通する隙間を最小限にすることができる。よって、基板収納室４２内部への蒸気や熱の侵入を抑制することができる。
【００２６】
図７は、実施の形態１に係る炊飯器１００の変形例としての炊飯器１００ａの斜視図である。炊飯器１００ａにおいては、通信部６０が操作部４０及び表示部４１から離した位置に配置されている。このように構成されることにより、通信部６０と通信機器２とが通信する際に、通信機器２は、操作部４０及び表示部４１と重なることがない。よって、通信機器２のサイズが大きい場合であっても通信中に操作部４０の各釦を操作することができ、表示部４１も視認することができる。なお、通信基板６０ａは、基板収納室４２とは別に設けられた通信基板収納室４５に配置されている。そのため、通信基板６０ａと基板収納室４２内の基板とを接続するためには、基板収納室４２と通信基板収納室４５との間に接続するための配線を通す必要がある。従って、炊飯器１００ａは、基板収納室４２の外部と連通する隙間が生じ易い。つまり、炊飯器１００のほうが、基板収納室４２に蒸気等が侵入しにくい構造になっており、信頼性が高い。
【００２７】
＜実施の形態１の効果＞
（１）実施の形態１に係る炊飯器１００、１００ａによれば、下部筐体３０の内部の内釜３２から炊飯動作中に発生する蒸気を復水する蒸気処理タンク３４と、下部筐体３０の上方に開閉自在に設けられた蓋体２０と、蒸気を内釜３２から蒸気処理タンク３４に導く蒸気導管４３ａと、通信機器２を近接させて無線通信を行う通信部６０と、を備える。蒸気導管４３ａと通信部６０とは、蓋体２０の内部に水平方向に並列に並べられて配置されている。
このように構成されることにより、蒸気導管４３ａを蓋体２０の内部に備える蒸気レスの炊飯器１００、１００ａにおいても、通信機器２との無線通信を行うための通信部６０を蓋体２０の上面に設けることができる。そして、蒸気導管４３ａと通信部６０とを効率良く配置することができる。
【００２８】
（２）実施の形態１に係る炊飯器１００、１００ａによれば、蓋体２０は、操作部４０を構成する操作基板４０ａをさらに備える。操作基板４０ａは、蒸気導管４３ａと水平方向に並列に並べられて配置されている。
このように構成されることにより、炊飯器１００、１００ａがさらに操作部４０を構成する操作基板４０ａ、表示部４１を構成する表示ユニット４１ａなどの電気部品を備えていても、蒸気導管４３ａと通信部６０と共に蓋体２０の内部に効率良く配置することができる。
【００２９】
（３）実施の形態１に係る炊飯器１００、１００ａによれば、蓋体２０は、下部筐体３０を向いた面に内釜３２の開口部を閉塞する内蓋５０が取り付けられる蓋体基部２８と、蓋体基部２８の上面を覆ってに取り付けられる蓋筐体２７と、蓋筐体２７の上面を覆い当該蓋体２０の上面の外観を構成する化粧板２１と、を備える。蓋体基部２８は、下部筐体３０を向いた面に開口している蒸気導管収納部４３を有する。蒸気導管４３ａは、蒸気導管収納部４３の内部に取り付けられる。蓋筐体２７は、上側を向いて開口している基板収納室４２を備える。無線通信を行う通信基板６０ａ及び電気部品は、基板収納室４２の内部に収納される。化粧板２１は、基板収納室４２を上側から閉塞する。
このように構成されることにより、蓋体２０の内部において、炊飯による蒸気が触れない位置に電気部品を配置することができる。特に、蓋体２０の内部に蒸気導管４３ａを備える蒸気レス炊飯器においては、蓋体基部２８の下側の面に蒸気導管４３ａを取付け、蒸気導管４３ａの上側を蓋体基部２８の構造により全て覆い、その上に蓋筐体２７を取り付けることにより、蒸気が漏出するおそれのある蒸気導管４３ａから電気部品を隔離することができるため、信頼性の高い構造になっている。
【００３０】
実施の形態２．
実施の形態２に係る炊飯器２００は、実施の形態１の炊飯器１００の通信部６０を凹み部に設けたものである。実施の形態２においては実施の形態１に対する変更点を中心に説明する。
【００３１】
図８は、実施の形態２に係る炊飯器２００の斜視図である。図９は、図８の炊飯器２００の上面図である。図１０は、図８の炊飯器２００と通信機器２とが通信している状態を示す斜視図である。実施の形態２において通信部６０は、操作部４０及び表示部４１から離れた位置に配置されている。通信部６０が配置されている部分は、化粧板２１に凹部７０が形成されており、凹部７０の底部７１は、炊飯器２００の本体１０の前面から背面に向かって高くなる傾斜となっている。凹部７０の底部７１の下方に通信部６０が配置されている。通信機器２は、炊飯器２００と通信する際に底部７１の上に載置され、通信機器２の表示部が本体１０の前方側に向くように載置することができる。また、通信機器２は、凹みに嵌るように載置されるため、炊飯器２００との通信時に通信部６０からずれて通信が途切れたり、何らかの外力が加わって通信機器２が炊飯器２００の上から落下するのを抑制することができる。
【００３２】
実施の形態２に係る炊飯器２００は、基板収納室２４２が実施の形態１よりも広い範囲に設けられている。基板収納室２４２は、化粧板２１の上面に形成された凹部７０も取り囲んで形成されており、通信基板６０ａも基板収納室２４２の内部に設置される。このように構成されることにより、基板収納室２４２の内部で通信基板６０ａとその他の基板を接続することができる。そのため、基板収納室４２は、外部と連通する隙間を最小限にすることができる。
【００３３】
実施の形態２に係る炊飯器２００においても、蒸気導管４３ａは、蒸気導管収納部４３の内部に配置されており、基板収納室２４２とは独立した空間に配置されている。そのため、蒸気導管４３ａ、通信基板６０ａ、及びその他の基板などの電気部品は、蓋体２０の内部に水平方向に並列に配置されているが、通信基板６０ａ及びその他の基板などの電気部品に蒸気が触れることが無い。よって、炊飯器２００は、信頼性が高い構成になっている。
【００３４】
＜実施の形態２の効果＞
（４）実施の形態２の炊飯器２００によれば、蓋体２０は、上面の一部に凹部７０が形成され、該凹部７０の底部７１の下方に通信部６０を備える。
このように構成されることにより、通信機器２は、凹みに嵌るように載置されるため、炊飯器２００との通信時に通信部６０からずれて通信が途切れたり、何らかの外力が加わって通信機器２が炊飯器２００の上から落下するのを抑制することができる。
【００３５】
（５）実施の形態２の炊飯器２００によれば、蓋体２０は、下部筐体３０の背面側に設置されたヒンジ２２を中心に回動して開閉し、凹部７０の底部７１は、前面側から背面側に向けて高くなる傾斜を有する。
このように構成されることにより、通信機器２の表示部が炊飯器２００の前面側を向くため、通信により通信機器２の表示部に炊飯器の状態を表示する場合などに、使用者が視認しやすいという利点がある。
【００３６】
（６）なお、実施の形態２の炊飯器２００によれば、炊飯及び保温の動作中において通信機器２との無線通信を実行する制御部を備える。
このように構成されることにより、使用者は、炊飯器２００の運転時、停止時に拘わらず通信機器２と炊飯器２００との通信をすることができるため、無線通信の使い勝手が良い。なお、上記の制御部は、実施の形態１の炊飯器１００、１００ａにおいても同様に有しており、（６）の効果についても同様に有するものである。また、制御部は、操作基板４０ａ等に搭載されていても良い。
【符号の説明】
【００３７】
２  通信機器、１０  本体、２０  蓋体、２１  化粧板、２２  ヒンジ、２６  付勢機構、２７  蓋筐体、２８  蓋体基部、２９  引っ掛け部、３０  下部筐体、３１  開閉釦、３２  内釜、３３  ヒーター、３４  蒸気処理タンク、４０  操作部、４０ａ  操作基板、４１  表示部、４１ａ  表示ユニット、４２  基板収納室、４３  蒸気導管収納部、４３ａ  蒸気導管、４４  基板、４５  通信基板収納室、５０  内蓋、５２  表示部、６０  通信部、６０ａ  通信基板、７０  凹部、７１  底部、１００  炊飯器、１００ａ  炊飯器、２００  炊飯器、２４２  基板収納室。
【図１】
2018033808.tif 000003
【図２】
2018033808.tif 000004
【図３】
2018033808.tif 000005
【図４】
2018033808.tif 000006
【図５】
2018033808.tif 000007
【図６】
2018033808.tif 000008
【図７】
2018033808.tif 000009
【図８】
2018033808.tif 000010
【図９】
2018033808.tif 000011
【図１０】
2018033808.tif 000012